(57)【特許請求の範囲】
【請求項１】
集合住宅に構築されたローカルネットワークに接続される複数のローカル端末と、リモート端末が接続される外部ネットワークと前記ローカルネットワークとの間に介設されるゲートウエイとにより構成される通信システムであって、
前記複数のローカル端末には、所定の監視手段を有し、この監視手段で異常発生が検出されると、前記ローカルネットワークを介して前記ゲートウエイに異常発生の監視結果を送信する監視用のローカル端末が各種含まれ、
前記ゲートウエイは、前記集合住宅の見取り図のデータおよびこの見取り図における前記監視用の各ローカル端末の位置を示す位置データと、前記監視用のローカル端末毎に、予め設定された登録者のリモート端末またはローカル端末のアドレスとを記憶する記憶手段を有し、
前記ローカルネットワークから前記異常発生の監視結果を受信すると、この監視結果を送信した監視用のローカル端末に対応する位置データおよび見取り図のデータを前記記憶手段から読み出し、これら読み出した位置データおよび見取り図のデータから、この見取り図のデータに前記異常発生の位置を示す情報を付加した知見用見取り図のデータを作成し、この知見用見取り図のデータを用いて、前記記憶手段から前記知見用見取り図のデータの作成原因となった監視用のローカル端末に対応する前記登録者のアドレスを読み出し、このアドレスを用いて前記知見用見取り図のデータを送信することで、前記登録者に対して、前記異常発生を知見可能にすることを特徴とする通信システム。
【請求項２】
前記複数のローカル端末には、所定の負荷制御手段を有する負荷制御用のローカル端末が各種含まれ、前記監視用および負荷制御用の各ローカル端末は複数の階層のいずれかの階層に区分され、前記記憶手段は、前記監視用および負荷制御用のローカル端末毎に、当該ローカル端末を区分する前記複数の階層のいずれかの階層について設定されたパスワードを記憶し、前記ゲートウエイは、前記ローカルネットワークへのアクセスでパスワードが使用されるとき、このパスワードの認証を、前記記憶手段に記憶されたパスワードを用いて行い、前記認証結果が適正であれば、その適正なパスワードが設定された階層に区分された各ローカル端末へのアクセスを許可することを特徴とする請求項１記載の通信システム。
【請求項３】
前記監視用の各ローカル端末は複数の階層のいずれかの階層に区分され、前記記憶手段は、前記監視用のローカル端末の種別毎に、前記異常発生の監視結果を送信したローカル端末の台数に関する区分別に、前記複数の階層のいずれかの階層について設定された前記アドレスを記憶し、前記ゲートウエイは、前記知見用見取り図のデータを作成すると、このデータの作成原因となった監視用のローカル端末の種別および台数に応じて、前記記憶手段から対応するアドレスを読み出し、このアドレスを用いて前記異常発生を知見可能にすることを特徴とする請求項１記載の通信システム。
【請求項４】
前記ゲートウエイは、前記監視用のローカル端末の情報の開示を、前記異常発生の監視結果を送信した監視用のローカル端末の情報に制限することを特徴とする請求項２または３記載の通信システム。
【請求項５】
前記記憶手段は特定のパスワードを記憶し、前記ゲートウエイは、前記ローカルネットワークへのアクセスでパスワードが使用されるとき、このパスワードが前記特定のパスワードであれば、前記階層の指定と、パスワードの変更および解除と、前記知見用見取り図の提示に関する機能の設定とを許可することを特徴とする請求項２から４のいずれかに記載の通信システム。
【発明の詳細な説明】
【０００１】
【発明の属する技術分野】
本発明は、集合住宅に構築されたローカルネットワークに接続される複数のローカル端末と、リモート端末が接続される外部ネットワークとローカルネットワークとの間に介設されるゲートウエイとにより構成される通信システムに関するものである。
【０００２】
【従来の技術】
図１４は管理センタが集合住宅の緊急通報を代行するシステムの一従来例を示す図である。この図１４に示すシステムは、管理センタ１が、電話回線または専用線を介して、集合住宅に設けられた制御装置２を通じてガス漏れ感知器、煙感知器などのセンサ３による監視結果を取得し、もし、センサ３からガス漏れなどの異常発生の監視結果が得られると、ガス会社、消防署または警察署などの機関４に緊急通報を行うというものである。そして、緊急通報がなされた場合、緊急通報を受けた機関４からガス工事車、消防車などの車両５が集合住宅に向かうことになる。
【０００３】
【発明が解決しようとする課題】
しかしながら、図１４の従来のシステムでは、ガス会社、消防署または警察署などの所定機関に入る緊急通報が管理センタを経由するために即応性の点で問題があった。また、電話などで緊急通報をする場合、発生している異常の内容を正確に伝えることが困難な場合もある。
【０００４】
本発明は、上記事情に鑑みてなされたものであり、即応性に優れた緊急通報が可能となるほか、発生した異常内容の把握が極めて容易となる通信システムを提供することを目的とする。
【０００５】
【課題を解決するための手段】
上記課題を解決するための請求項１記載の発明は、集合住宅に構築されたローカルネットワークに接続される複数のローカル端末と、リモート端末が接続される外部ネットワークと前記ローカルネットワークとの間に介設されるゲートウエイとにより構成される通信システムであって、前記複数のローカル端末には、所定の監視手段を有し、この監視手段で異常発生が検出されると、前記ローカルネットワークを介して前記ゲートウエイに異常発生の監視結果を送信する監視用のローカル端末が各種含まれ、前記ゲートウエイは、前記集合住宅の見取り図のデータおよびこの見取り図における前記監視用の各ローカル端末の位置を示す位置データと、前記監視用のローカル端末毎に、予め設定された登録者のリモート端末またはローカル端末のアドレスとを記憶する記憶手段を有し、前記ローカルネットワークから前記異常発生の監視結果を受信すると、この監視結果を送信した監視用のローカル端末に対応する位置データおよび見取り図のデータを前記記憶手段から読み出し、これら読み出した位置データおよび見取り図のデータから、この見取り図のデータに前記異常発生の位置を示す情報を付加した知見用見取り図のデータを作成し、この知見用見取り図のデータを用いて、前記記憶手段から前記知見用見取り図のデータの作成原因となった監視用のローカル端末に対応する前記登録者のアドレスを読み出し、このアドレスを用いて前記知見用見取り図のデータを送信することで、前記登録者に対して、前記異常発生を知見可能にすることを特徴とする。
【０００７】
請求項２記載の発明は、請求項１記載の通信システムにおいて、前記複数のローカル端末には、所定の負荷制御手段を有する負荷制御用のローカル端末が各種含まれ、前記監視用および負荷制御用の各ローカル端末は複数の階層のいずれかの階層に区分され、前記記憶手段は、前記監視用および負荷制御用のローカル端末毎に、当該ローカル端末を区分する前記複数の階層のいずれかの階層について設定されたパスワードを記憶し、前記ゲートウエイは、前記ローカルネットワークへのアクセスでパスワードが使用されるとき、このパスワードの認証を、前記記憶手段に記憶されたパスワードを用いて行い、前記認証結果が適正であれば、その適正なパスワードが設定された階層に区分された各ローカル端末へのアクセスを許可することを特徴とする。
【０００８】
請求項３記載の発明は、請求項１記載の通信システムにおいて、前記監視用の各ローカル端末は複数の階層のいずれかの階層に区分され、前記記憶手段は、前記監視用のローカル端末の種別毎に、前記異常発生の監視結果を送信したローカル端末の台数に関する区分別に、前記複数の階層のいずれかの階層について設定された前記アドレスを記憶し、前記ゲートウエイは、前記知見用見取り図のデータを作成すると、このデータの作成原因となった監視用のローカル端末の種別および台数に応じて、前記記憶手段から対応するアドレスを読み出し、このアドレスを用いて前記異常発生を知見可能にすることを特徴とする。
【０００９】
請求項４記載の発明は、請求項２または３記載の通信システムにおいて、前記ゲートウエイは、前記監視用のローカル端末の情報の開示を、前記異常発生の監視結果を送信した監視用のローカル端末の情報に制限することを特徴とする。
【００１０】
請求項５記載の発明は、請求項２から４のいずれかに記載の通信システムにおいて、前記記憶手段は特定のパスワードを記憶し、前記ゲートウエイは、前記ローカルネットワークへのアクセスでパスワードが使用されるとき、このパスワードが前記特定のパスワードであれば、前記階層の指定と、パスワードの変更および解除と、前記知見用見取り図の提示に関する機能の設定とを許可することを特徴とする。
【００１１】
【発明の実施の形態】
図１は本発明に係る第１実施形態の通信システムを構成するローカル端末およびゲートウエイのブロック図、図２，図３は第１実施形態の通信システムの構築例を示す図であり、これらの図を用いて以下に第１実施形態について説明する。
【００１２】
第１実施形態の通信システムは、図２，図３に示すように、集合住宅に構築されたローカルネットワークＬＮ１に接続される複数のローカル端末Ａと、リモート端末Ｂが接続される外部ネットワークＥＮ１とローカルネットワークＬＮ１との間に介設されるゲートウエイＣ１とにより構成されている。
【００１３】
本実施形態では、外部ネットワークＥＮ１はインターネットであり、リモート端末Ｂは、インターネット経由で通信可能なコンピュータまたは携帯電話などである。そして、リモート端末Ｂは、消防署４Ａ、警察署４Ｂおよびガス会社４Ｃなどの所定機関、管理センタ１、緊急用の車両５などに設けられる。
【００１４】
複数のローカル端末Ａには、集合住宅の居住者のコンピュータなどが含まれるほか、監視機能または負荷制御機能などの所定の機能を有したローカル端末が各種含まれる。今後、後者のローカル端末のうち、監視機能を有したローカル端末には識別のため符号Ａ１を適宜使用する。
【００１５】
ローカル端末Ａ１は、図１に示すように、ローカルネットワークＬＮ１を介して、所定のプロトコル（例えばＴＣＰ／ＩＰなどのインターネットプロトコルなど）に従って通信をするための通信部Ａ１１と、ガス漏れ感知器、煙感知器、人感センサ、テレビカメラまたはこれらの組合せなどにより成り、所定の監視を行う監視部Ａ１２とを備えているほか、制御部Ａ１３を備えている。
【００１６】
この制御部Ａ１３は、図略の不揮発性メモリなどの記憶部に記憶された所定のプログラムを実行するＣＰＵなどにより成り、各種制御などの処理を行うものである。例えば、ローカルネットワークＬＮ１から通信部Ａ１１を通じて当該ローカル端末Ａ１に対する要求を受信したとき、その要求に応じて監視部Ａ１２から監視結果を取得し、この監視結果および自己に割り当てられた個別アドレスを応答として、通信部Ａ１１およびローカルネットワークＬＮ１を介して返信する処理が行われる。また、監視部Ａ１２で、ガス漏れ検出、火災検出、侵入者検出などの異常発生が検出されると、通信部Ａ１１およびローカルネットワークＬＮ１を介して、個別アドレスを含む異常発生の監視結果をゲートウエイＣ１に送信する処理が行われる。
【００１７】
ゲートウエイＣ１は、ローカルネットワークＬＮ１および外部ネットワークＥＮ１の性質の異なるネットワークを相互接続するものであり、ローカルネットワークＬＮ１を介して、所定のプロトコルに従って通信をするための通信部Ｃ１１と、外部ネットワークＥＮ１を介して、例えばＴＣＰ／ＩＰなどのインターネットプロトコルに従って通信をするための通信部Ｃ１２とを備えているほか、記憶部Ｃ１３と、制御部Ｃ１０とを備えている。
【００１８】
図４，図５に図１の記憶部に記憶されるデータ例を示す。記憶部Ｃ１３は、ハードディスクにより構成され、図４に示すように、集合住宅の各種見取り図（例えば各階の見取り図）のデータをＨＴＭＬのファイル形式で記憶しているとともに、図５に示すように、ローカル端末Ａ１の個別アドレス（図５ではアドレス）のデータ毎に、見取り図におけるローカル端末Ａ１の位置を示す位置データとしての設置場所のデータと、ローカル端末Ａ１の機器種別のデータと、予め設定された登録者のデータと、その登録者の電子メールアドレスのデータとを含むアドレスデータ変換表を記憶している。なお、記憶部Ｃ１３は、ハードディスクに限らず、書き換え可能な不揮発性メモリなどでもよいことは言うまでもない。
【００１９】
制御部Ｃ１０は、図略の不揮発性メモリなどの記憶部に記憶された所定のプログラムを実行するＣＰＵなどにより成り、従来と同様のメール送信機能Ｃ１０１およびＷＷＷサーバ機能Ｃ１０２を有しているほか、（知見用）見取り図作成機能Ｃ１０３などの各種処理機能を有している。
【００２０】
この見取り図作成機能Ｃ１０３による処理としては、ローカルネットワークＬＮ１から上記異常発生の監視結果を受信すると、この監視結果を送信したローカル端末Ａ１の個別アドレスに対応する位置データおよび見取り図のデータを記憶部Ｃ１３から読み出し、これら読み出した位置データおよび見取り図のデータから、この見取り図のデータに上記異常発生の位置を示す情報を付加した知見用見取り図のデータを作成する処理が実行される。つまり、図４の例で説明すると、監視カメラＬ１，Ｌ２および煙感知器Ｋ１〜Ｋ７などの各ローカル端末Ａ１のうち、煙感知器Ｋ７のローカル端末Ａ１から、異常発生の監視結果を受信すると、煙感知器Ｋ７に対応する位置データおよび３階の見取り図のデータを記憶部Ｃ１３から読み出し、３階の見取り図のデータに、煙感知器Ｋ７の位置（３階の共用部）で異常が発生したことを示す星形の作動記号のデータを付加して、図４に示す知見用見取り図のデータを作成する処理が実行されるのである。
【００２１】
そして、上記知見用見取り図のデータを作成すると、記憶部Ｃ１３からその知見用見取り図のデータの作成原因となったローカル端末Ａ１（図４の例の場合は煙感知器Ｋ７）に対応する電子メールアドレスを読み出し、この電子メールアドレスを用いて上記知見用見取り図のデータを、メール送信機能Ｃ１０１を通じて送信する処理が行われる。
【００２２】
また、上記知見用見取り図のデータは、ＷＷＷサーバ機能Ｃ１０２により閲覧可能に記憶保持される。
【００２３】
なお、図５の例では、記憶部Ｃ１３には、リモート端末Ｂの電子メールアドレスが記憶されているが、例えば、集合住宅の管理人室に設けられたローカル端末Ａの電子メールアドレスが記憶される構成でもよい。この構成の場合、上記知見用見取り図のデータを管理人室に送信することが可能になる。
【００２４】
図６は第１実施形態の通信システムの動作フローであり、この図６をさらに用いて第１実施形態の動作を説明する。ゲートウエイＣ１において、ローカル端末Ａ１（作動端末）から異常発生の監視結果（図６では作動発報）を受信すると、ステップＳ１０で、作動端末の個別アドレスのデータを確認する処理が実行される。続いて、ステップＳ１１で、その個別アドレスに対応する位置データから、作動端末に対応する見取り図の図面ファイルを開き、ステップＳ１２で、その見取り図における作動端末に対応する端末記号に、作動を示すマーク（作動記号）を付加して知見用見取り図のデータを作成し、ステップＳ１３で、知見用見取り図のデータファイルを保存する処理が実行される。
【００２５】
この後、ステップＳ１４で、アドレスデータ変換表を参照して、作動端末の個別アドレスに対応する自動通報先の電子メールアドレスを検索する処理が行われる。例えば、侵入センサの作動時には警察署、煙感知器の作動時には消防署というように、ローカル端末Ａ１毎に対応した電子メールアドレスが取得される。
【００２６】
続いて、ステップＳ１５で、上記電子メールアドレスを用いて、保存図面ファイル（上記知見用見取り図のデータ）を添付した警報通知の電子メールをその電子メールアドレスの通報先に自動送信する処理が行われる。これにより、即応性に優れた緊急通報が可能となるほか、発生した異常内容の把握が極めて容易となる。
【００２７】
以上、第１実施形態によれば、異常発生の監視結果を受信すると、この監視結果を送信したローカル端末Ａ１の個別アドレスに対応する位置データおよび見取り図のデータを記憶部Ｃ１３から読み出し、これら読み出した位置データおよび見取り図のデータから、この見取り図のデータに異常発生の位置を示す情報（作動記号）を付加した知見用見取り図のデータを作成し、この知見用見取り図のデータを用いて、予め設定された登録者（消防署または警察署など）に対して、異常発生を知見可能にするので、即応性に優れた緊急通報が可能となるほか、発生した異常内容の把握が極めて容易となる。
【００２８】
なお、第１実施形態では、知見用見取り図のデータを添付した警報通知の電子メールを送信することにより、異常発生を知見可能にする構成になっているが、これに限らず、知見用見取り図の掲載先のホームページアドレス（ＵＲＬ）を電子メールで送信することにより、異常発生を知見可能にする構成でもよい。すなわち、ＷＷＷサーバ機能Ｃ１０２により知見用見取り図のデータを閲覧可能に記憶保持して集合住宅の該当するホームページに掲載し、その知見用見取り図の掲載先のホームページアドレスを電子メールで送信しても、即応性に優れた緊急通報が可能となるほか、そのホームページアドレスを開くことで、発生した異常内容の把握が極めて容易となる。
【００２９】
図７は本発明に係る第２実施形態の通信システムを構成するローカル端末およびゲートウエイのブロック図、図８は図７の記憶部に記憶されるデータ例を示す図であり、これらの図を用いて以下に第２実施形態について説明する。
【００３０】
図７に示す通信システムは、第１実施形態との相違点としてゲートウエイＣ２を備えている。ただし、図７に示すＡ２は、第１実施形態で説明した負荷制御機能を有したローカル端末である。
【００３１】
このローカル端末Ａ２は、通信部Ａ１１をローカル端末Ａ１と同様に備えているほか、例えばドアの錠の開閉制御などを行う負荷制御部Ａ２２と、図略の不揮発性メモリなどの記憶部に記憶された所定のプログラムを実行するＣＰＵなどにより成り、各種制御などの処理を行う制御部Ａ２３とを備えている。例えば、制御部Ａ２３により、ローカルネットワークＬＮ１から通信部Ａ１１を通じて当該ローカル端末Ａ２に対する要求を受信したとき、その要求に応じて負荷制御部Ａ２２から負荷の制御状態（例えばドアの錠の開閉状態）を取得し、この負荷の制御状態および自己に割り当てられた個別アドレスを応答として、通信部Ａ１１およびローカルネットワークＬＮ１を介して返信する処理が行われる。また、要求が錠を強制解錠させる要求である場合には、負荷制御部Ａ２２を通じてドアを強制解錠する制御がさらに実行される。
【００３２】
ゲートウエイＣ２は、通信部Ｃ１１，Ｃ１２を第１実施形態のゲートウエイＣ１と同様に備えているほか、ゲートウエイＣ１との相違点として、記憶部Ｃ２３と、制御部Ｃ２０とを備えている。ただし、各ローカル端末Ａ１，Ａ２は複数の階層のいずれかの階層に区分されているものとする。
【００３３】
記憶部Ｃ２３は、ハードディスクにより構成され、第１実施形態で説明した集合住宅の各種見取り図およびアドレスデータ変換表のデータに加えて、図８に示すように、ローカル端末Ａ１，Ａ２の個別アドレス（図ではアドレス）のデータ毎に、ローカル端末Ａ１，Ａ２の機器種別のデータと、ローカル端末Ａ１，Ａ２を区分する上記複数の階層のいずれかの階層のデータと、その階層について設定されたパスワードのデータとを含むパスワード登録端末分類表を記憶している。例えば、ガス会社に第３階層のパスワードを付与し、警備会社に第２階層のパスワードを付与し、そして、警察署または消防署に第１階層のパスワードを付与するなどの適当例を挙げることができる。
【００３４】
制御部Ｃ２０は、図略の不揮発性メモリなどの記憶部に記憶された所定のプログラムを実行するＣＰＵなどにより成り、メール送信機能Ｃ１０１、ＷＷＷサーバ機能Ｃ１０２および見取り図作成機能Ｃ１０３を第１実施形態と同様に有しているほか、パスワード認証機能Ｃ２０４などの各種処理機能を有している。
【００３５】
このパスワード認証機能Ｃ２０４による処理としては、ローカルネットワークＬＮ１へのリモート端末Ｂのアクセスでパスワードが使用されるとき、記憶部Ｃ２３に記憶されたパスワード登録端末分類表を用いて、そのパスワードの認証をする処理が行われる。この処理で適正な認証結果が得られると、その適正なパスワードが設定された階層に区分された各ローカル端末へのアクセスが許可され、リモート端末Ｂからの要求が対応するローカル端末に転送されるとともに、その応答がリモート端末Ｂに返送される。これにより、リモート端末Ｂは、ローカル端末から所望の情報を取得することができるようになる。
【００３６】
以上、第２実施形態によれば、ローカルネットワークＬＮ１へのアクセスでパスワードが使用されるとき、このパスワードの認証を、記憶部Ｃ２３に記憶されたパスワードを用いて行い、認証結果が適正であれば、その適正なパスワードが設定された階層に区分された各ローカル端末へのアクセスを許可するので、集合住宅の情報をパスワードと階層の２重の機能で適切に保護することができる。
【００３７】
図９は本発明に係る第３実施形態の通信システムを構成するローカル端末およびゲートウエイのブロック図、図１０は図９の記憶部に記憶されるデータ例を示す図であり、これらの図を用いて以下に第３実施形態について説明する。
【００３８】
図９に示す通信システムは、第１実施形態との相違点としてゲートウエイＣ３を備えている。このゲートウエイＣ３は、通信部Ｃ１１，Ｃ１２を第１実施形態のゲートウエイＣ１と同様に備えているほか、ゲートウエイＣ１との相違点として、記憶部Ｃ３３と、制御部Ｃ３０とを備えている。ただし、監視用の各ローカル端末Ａ１は複数の階層のいずれかの階層に区分されているものとする。
【００３９】
記憶部Ｃ３３は、ハードディスクにより構成され、第１実施形態で説明した集合住宅の各種見取り図およびアドレスデータ変換表のデータに加えて、図１０に示すように、ローカル端末Ａ１の機器種別のデータ毎に、異常発生の監視結果を送信したローカル端末の台数に関する区分別（図１０では１台と２台以上）に、複数の階層のいずれかの階層のデータと、その階層について設定された電子メールアドレスのデータと、その電子メールアドレスを持つ登録者のデータとを含む端末複合作動時通報先分類表を記憶している。
【００４０】
制御部Ｃ３０は、知見用見取り図のデータを作成すると、このデータの作成原因となったローカル端末Ａ１の機器種別および台数に応じて、記憶部Ｃ３３に記憶された端末複合作動時通報先分類表から対応する電子メールアドレスを読み出し、この電子メールアドレスを用いて知見用見取り図のデータを送信する処理を行う以外は、第１実施形態の制御部Ｃ１０と同様に構成される。
【００４１】
上記構成のゲートウエイＣ３では、例えば、１台の煙感知器のローカル端末Ａ１で作動発報があると、記憶部Ｃ３３に記憶された端末複合作動時通報先分類表から、管理センタの電子メールアドレスが読み出され、その電子メールアドレスで緊急通報が行われる。これに対して、２台以上の煙感知器のローカル端末Ａ１で作動発報があると、記憶部Ｃ３３に記憶された端末複合作動時通報先分類表から、消防署の電子メールアドレスが読み出され、その電子メールアドレスで緊急通報が行われる。
【００４２】
以上、第３実施形態によれば、知見用見取り図のデータを作成すると、このデータの作成原因となったローカル端末Ａ１の機器種別および台数に応じて、記憶部Ｃ３３に記憶された端末複合作動時通報先分類表から対応する電子メールアドレスを読み出し、この電子メールアドレスを用いて知見用見取り図のデータを送信するので、知見用見取り図のデータを適切な所に送信することが可能となる。
【００４３】
図１１は本発明に係る第４実施形態の通信システムを構成するローカル端末およびゲートウエイのブロック図、図１２は図１１の通信システムの動作フローであり、これらの図を用いて以下に第４実施形態について説明する。
【００４４】
図１１に示す通信システムは、第２実施形態との相違点としてゲートウエイＣ４を備えている。このゲートウエイＣ４は、通信部Ｃ１１，Ｃ１２と、記憶部Ｃ２３とを第２実施形態のゲートウエイＣ２と同様に備えているほか、ローカル端末Ａ１の情報の開示を、異常発生の監視結果を送信したローカル端末Ａ１の情報に制限する以外は第２実施形態の制御部Ｃ２０と同様に構成される制御部Ｃ４０を備えている。
【００４５】
この構成の通信システムでは、ローカルネットワークＬＮ１へのリモート端末Ｂのアクセスでパスワードが使用されるとき、ステップＳ２０で、そのパスワードを確認し、適正なパスワードであれば、ステップＳ２１で、アクセス対象のローカル端末Ａ１の個別アドレスを確認し、ステップＳ２２で、その個別アドレスのローカル端末Ａ１が作動報知の状態（異常発生の監視結果を送信した状態）であるか否かを判定する処理が行われる。作動報知の状態でなければ（Ｓ２２でＮＯ）、ステップＳ２４で、アクセスを拒絶して、本フローが終了する一方、作動報知の状態であれば（Ｓ２２でＹＥＳ）、ステップＳ２３で、該当する個別アドレスのローカル端末Ａ１に接続して（Ｓ２３）、次の処理へ移行する処理が実行される。
【００４６】
要するに、外部からローカルネットワークＬＮ１に対するアクセスがあった場合、ゲートウエイＣ４において、まず、パスワード登録端末分類表を用いてパスワードの認証をする処理が実行される。パスワードの認証後、アクセス要求のあるローカル端末Ａ１の作動状況を確認し、例えばそれが侵入センサと監視カメラとを組み合わせて成るローカル端末Ａ１である場合、侵入センサが異常発生の監視結果を送信していれば、パスワードの認証結果に応じてそのローカル端末Ａ１へのアクセスを許可する一方、侵入センサが異常発生の監視結果を送信していなければ、そのローカル端末Ａ１へのアクセスを拒絶する処理が実行される。
【００４７】
以上、第４実施形態によれば、ローカル端末Ａ１の情報の開示を、異常発生の監視結果を送信したローカル端末Ａ１の情報に制限するので、集合住宅のための緊急通報に関係する情報のみの開示が可能になるとともに、緊急通報に無関係な情報の外部への漏洩を防止することができる。
【００４８】
なお、上記各実施形態において、ハードディスクにより成る記憶部に、図１３に示すような特定のパスワード（図１３では対応パスワード）を記憶させ、ゲートウエイは、アクセスでパスワードが使用されるとき、そのパスワードが対応パスワードであれば、階層の指定と、パスワードの変更および解除と、知見用見取り図の提示に関する機能の設定とを許可する構成にしてもよい。この構成の動作例を説明すると、ゲートウエイは、外部からローカルネットワークＬＮ１に対するアクセスがあった場合、まず、パスワード登録端末分類表を用いてパスワードの認証をし、続いて、図１３に示すような特定アクセス許可登録表から、通信先が例えば管理センタなど予め登録通信先として登録された相手であることが分ければ、内部にプログラムされている特定処理に移行可能とする。これにより、外部からローカル端末へのアクセスのパスワード認証に関する設定を、特定の外部箇所から遠隔操作によって変更することが可能となり、緊急・非常時に柔軟な対応が可能になる。
【００４９】
【発明の効果】
以上のことから明らかなように、請求項１記載の発明は、集合住宅に構築されたローカルネットワークに接続される複数のローカル端末と、リモート端末が接続される外部ネットワークと前記ローカルネットワークとの間に介設されるゲートウエイとにより構成される通信システムであって、前記複数のローカル端末には、所定の監視手段を有し、この監視手段で異常発生が検出されると、前記ローカルネットワークを介して前記ゲートウエイに異常発生の監視結果を送信する監視用のローカル端末が各種含まれ、前記ゲートウエイは、前記集合住宅の見取り図のデータおよびこの見取り図における前記監視用の各ローカル端末の位置を示す位置データと、前記監視用のローカル端末毎に、予め設定された登録者のリモート端末またはローカル端末のアドレスとを記憶する記憶手段を有し、前記ローカルネットワークから前記異常発生の監視結果を受信すると、この監視結果を送信した監視用のローカル端末に対応する位置データおよび見取り図のデータを前記記憶手段から読み出し、これら読み出した位置データおよび見取り図のデータから、この見取り図のデータに前記異常発生の位置を示す情報を付加した知見用見取り図のデータを作成し、この知見用見取り図のデータを用いて、前記記憶手段から前記知見用見取り図のデータの作成原因となった監視用のローカル端末に対応する前記登録者のアドレスを読み出し、このアドレスを用いて前記知見用見取り図のデータを送信することで、前記登録者に対して、前記異常発生を知見可能にするので、即応性に優れた緊急通報が可能となるほか、発生した異常内容の把握が極めて容易となる。また、緊急通報の非常時には、予め設定された登録者は、集合住宅ごとの図面などを持つことなく、見取り図における異常発生の位置を容易に確かめることができる。従って、遠隔地であるにもかかわらず、予め設定された登録者に対して、知見用見取り図のデータを自動的に送信して、緊急通報の内容を素早く通報して、画面表示などで迅速な報知が可能になる。
【００５１】
請求項２記載の発明によれば、請求項１記載の通信システムにおいて、前記複数のローカル端末には、所定の負荷制御手段を有する負荷制御用のローカル端末が各種含まれ、前記監視用および負荷制御用の各ローカル端末は複数の階層のいずれかの階層に区分され、前記記憶手段は、前記監視用および負荷制御用のローカル端末毎に、当該ローカル端末を区分する前記複数の階層のいずれかの階層について設定されたパスワードを記憶し、前記ゲートウエイは、前記ローカルネットワークへのアクセスでパスワードが使用されるとき、このパスワードの認証を、前記記憶手段に記憶されたパスワードを用いて行い、前記認証結果が適正であれば、その適正なパスワードが設定された階層に区分された各ローカル端末へのアクセスを許可するので、集合住宅の情報をパスワードと階層の２重の機能で適切に保護することができる。
【００５２】
請求項３記載の発明によれば、請求項１記載の通信システムにおいて、前記監視用の各ローカル端末は複数の階層のいずれかの階層に区分され、前記記憶手段は、前記監視用のローカル端末の種別毎に、前記異常発生の監視結果を送信したローカル端末の台数に関する区分別に、前記複数の階層のいずれかの階層について設定された前記アドレスを記憶し、前記ゲートウエイは、前記知見用見取り図のデータを作成すると、このデータの作成原因となった監視用のローカル端末の種別および台数に応じて、前記記憶手段から対応するアドレスを読み出し、このアドレスを用いて前記異常発生を知見可能にするので、予め設定された登録者に自動通報することができる。また、ゲートウエイ側で、異常発生の監視結果を送信した監視用のローカル端末の種別および台数を考慮することで、総合的で正確な通報先決定の判断を下すことができる。さらに、各ローカル端末に複合的な判定機能を持たせる必要もなく、そのための設定を各ローカル端末毎に行う必要もない。
【００５３】
請求項４記載の発明によれば、請求項２または３記載の通信システムにおいて、前記ゲートウエイは、前記監視用のローカル端末の情報の開示を、前記異常発生の監視結果を送信した監視用のローカル端末の情報に制限するので、集合住宅のための緊急通報に関係する情報のみの開示が可能になるとともに、緊急通報に無関係な情報の外部への漏洩を防止することができる。つまり、異常発生時のみにローカル端末へのアクセスが許可され、通常時にはローカル端末へのアクセスが禁止され、集合住宅内の情報が外部に流出しないのである。
【００５４】
請求項５記載の発明によれば、請求項２から４のいずれかに記載の通信システムにおいて、前記記憶手段は特定のパスワードを記憶し、前記ゲートウエイは、前記ローカルネットワークへのアクセスでパスワードが使用されるとき、このパスワードが前記特定のパスワードであれば、前記階層の指定と、パスワードの変更および解除と、前記知見用見取り図の提示に関する機能の設定とを許可するので、管理センタなど特定の箇所から状況に応じて情報開示に関わる機能設定の遠隔操作が可能となる。
【図面の簡単な説明】
【図１】本発明に係る第１実施形態の通信システムを構成するローカル端末およびゲートウエイのブロック図である。
【図２】第１実施形態の通信システムの構築例を示す図である。
【図３】第１実施形態の通信システムの構築例を示す図である。
【図４】図１の記憶部に記憶されるデータ例を示す図である。
【図５】図１の記憶部に記憶されるデータ例を示す図である。
【図６】第１実施形態の通信システムの動作フローである。
【図７】本発明に係る第２実施形態の通信システムを構成するローカル端末およびゲートウエイのブロック図である。
【図８】図７の記憶部に記憶されるデータ例を示す図である。
【図９】本発明に係る第３実施形態の通信システムを構成するローカル端末およびゲートウエイのブロック図である。
【図１０】図９の記憶部に記憶されるデータ例を示す図である。
【図１１】本発明に係る第４実施形態の通信システムを構成するローカル端末およびゲートウエイのブロック図である。
【図１２】図１１の通信システムの動作フローである。
【図１３】各実施形態に適用可能な特定のパスワードの例を示す図である。
【図１４】管理センタが集合住宅の緊急通報を代行するシステムの一従来例を示す図である。
【符号の説明】
Ａ，Ａ１，Ａ２  ローカル端末
Ｂ  リモート端末
Ｃ１，Ｃ２，Ｃ３，Ｃ４  ゲートウエイ
Ａ１１  通信部
Ａ１２  監視部
Ａ２２  負荷制御部
Ａ１３，Ａ２３  制御部
Ｃ１０，Ｃ２０，Ｃ３０，Ｃ４０  制御部
Ｃ１１，Ｃ１２  通信部
Ｃ１３，Ｃ２３，Ｃ３３  記憶部
【図１】
0004538947.tif 000002
【図２】
0004538947.tif 000003
【図３】
0004538947.tif 000004
【図４】
0004538947.tif 000005
【図５】
0004538947.tif 000006
【図６】
0004538947.tif 000007
【図７】
0004538947.tif 000008
【図８】
0004538947.tif 000009
【図９】
0004538947.tif 000010
【図１０】
0004538947.tif 000011
【図１１】
0004538947.tif 000012
【図１２】
0004538947.tif 000013
【図１３】
0004538947.tif 000014
【図１４】
0004538947.tif 000015